(57)【要約】【課題】より複雑な微細構造が形成された原盤、該原盤を用いた転写物、及び該原盤の製造方法を提供する。【解決手段】複数の凹部又は凸部にて構成される凹凸集合体が基材上に互いに離隔されて複数設けられ、前記凹部又は凸部の前記基材表面に占める領域の平均幅は、可視光帯域に属する波長以下であり、前記凹凸集合体内の前記凹部又は凸部の各々の前記基材表面からの形成長さは、中心値が異なる少なくとも２以上のグループのいずれかに属する、原盤。【選択図】図２Ｂ
2019111786.tif 000002
【特許請求の範囲】
【請求項１】
複数の凹部又は凸部にて構成される凹凸集合体が基材上に互いに離隔されて複数設けられ、
前記凹部又は凸部の前記基材表面に占める領域の平均幅は、可視光帯域に属する波長以下であり、
前記凹凸集合体内の前記凹部又は凸部の各々の前記基材表面からの形成長さは、中心値が異なる少なくとも２以上のグループのいずれかに属する、原盤。
【請求項２】
前記凹凸集合体内の前記凹部又は凸部の各々の前記基材表面に占める領域の平均幅は、中心値が異なる少なくとも２以上のグループのいずれかに属する、請求項１に記載の原盤。
【請求項３】
前記凹部又は凸部の前記基材表面に占める領域の平均幅は、前記凹部又は凸部の前記基材表面からの形成長さが長くなるほど大きくなる、請求項２に記載の原盤。
【請求項４】
前記凹部又は凸部の各々の前記基材表面に占める領域の平面形状は、略円形状である、請求項１〜３のいずれか一項に記載の原盤。
【請求項５】
前記凹凸集合体の各々が設けられた間隔は、可視光帯域に属する波長よりも大きい、請求項１〜４のいずれか一項に記載の原盤。
【請求項６】
前記凹凸集合体内の前記凹部又は凸部の各々は、最密充填配置にて設けられる、請求項１〜５のいずれか一項に記載の原盤。
【請求項７】
前記凹部又は凸部の各々の前記基材表面からの形成長さは、前記凹凸集合体内で段階的に変化する、請求項１〜６のいずれか一項に記載の原盤。
【請求項８】
前記凹部又は凸部の各々の前記基材表面からの形成長さは、前記凹凸集合体内で不規則に変化する、請求項１〜６のいずれか一項に記載の原盤。
【請求項９】
前記凹凸集合体の各々は、規則的に配列される、請求項１〜８のいずれか一項に記載の原盤。
【請求項１０】
前記凹凸集合体の各々は、不規則的に配列される、請求項１〜８のいずれか一項に記載の原盤。
【請求項１１】
請求項１〜１０のいずれか一項に記載された原盤に設けられた複数の前記凹凸集合体の凹凸構造が転写された、転写物。
【請求項１２】
基材の表面にレジスト層を形成する工程と、
レーザ光源の出力強度及び照射タイミングを任意に制御しながら、前記レーザ光源から前記レジスト層にレーザ光を照射する工程と、
前記レーザ光が照射された、又は照射されていない領域の前記レジスト層を除去することで、複数の凹部又は凸部にて構成される凹凸集合体が複数設けられたパターンを前記レジスト層に形成する工程と、
前記パターンが形成された前記レジスト層をマスクとしてエッチングを行うことで、前記基材の表面に前記パターンに対応する凹凸構造を形成する工程と、
を含む、原盤の製造方法。
【請求項１３】
前記基材は、円柱又は円筒形状であり、
前記レーザ光源は、前記円柱又は円筒形状の高さ方向を回転軸として前記基材を回転させながら、前記回転軸と平行に相対移動することで、前記基材の上の前記レジスト層に前記レーザ光を照射する、請求項１２に記載の原盤の製造方法。
【請求項１４】
前記レーザ光源の制御信号は、前記基材の回転の制御信号と同期するように生成される、請求項１３に記載の原盤の製造方法。
【請求項１５】
前記レーザ光源は、半導体レーザ光源である、請求項１２〜１４のいずれか一項に記載の原盤の製造方法。
【発明の詳細な説明】
【技術分野】
【０００１】
本発明は、原盤、転写物及び原盤の製造方法に関する。
【背景技術】
【０００２】
近年、微細加工技術の一つであるインプリント技術の開発が進展している。インプリント技術とは、表面に微細な凹凸構造を形成した原盤を樹脂シート等に押し当てることで、原盤表面の凹凸構造を樹脂シートに転写する技術である。
【０００３】
インプリント技術に用いられる原盤の凹凸構造は、以下で示す微細加工技術を用いることで形成することができる。
【０００４】
例えば、平板形状の原盤に凹凸構造を形成する場合、下記特許文献１に記載されるように、レーザ干渉露光法を用いることによって、レーザ光の干渉パターンに対応する凹凸構造を原盤の一主面に形成することができる。
【０００５】
また、円柱形状の原盤に凹凸構造を生成する場合、例えば、レーザ光によるリソグラフィ技術を用いることによって、円柱形状の原盤の外周面に凹凸構造を形成することができる。具体的には、円柱形状の基材を底面及び上面の中心を通る回転軸にて回転させた上で、レーザ光を基材の軸方向に走査させながら基材の外周面に照射することで、該外周面に連続的に凹凸構造を形成することができる。
【先行技術文献】
【特許文献】
【０００６】
【特許文献１】特開２００７−５７６２２号公報
【発明の概要】
【発明が解決しようとする課題】
【０００７】
しかし、上述した凹凸構造の形成方法では、形成方法に起因した特定の凹凸構造しか形成することができず、任意の凹凸構造を形成することは困難であった。特に、複数の凹部又は凸部から構成される凹凸集合体をさらに複数配列させたような複雑な凹凸構造を形成することは困難であった。そのため、より複雑な凹凸構造を自由に形成することが可能なパターン形成方法、及び該パターン形成方法によって形成された原盤が求められていた。
【０００８】
そこで、本発明は、上記問題に鑑みてなされたものであり、本発明の目的とするところは、より複雑な凹凸構造が形成された原盤、該原盤を用いた転写物、及び該原盤の製造方法を提供することにある。
【課題を解決するための手段】
【０００９】
上記課題を解決するために、本発明のある観点によれば、複数の凹部又は凸部にて構成される凹凸集合体が基材上に互いに離隔されて複数設けられ、前記凹部又は凸部の前記基材表面に占める領域の平均幅は、可視光帯域に属する波長以下であり、前記凹凸集合体内の前記凹部又は凸部の各々の前記基材表面からの形成長さは、中心値が異なる少なくとも２以上のグループのいずれかに属する、原盤が提供される。
【００１０】
前記凹凸集合体内の前記凹部又は凸部の各々の前記基材表面に占める領域の平均幅は、中心値が異なる少なくとも２以上のグループのいずれかに属してもよい。
【００１１】
前記凹部又は凸部の前記基材表面に占める領域の平均幅は、前記凹部又は凸部の前記基材表面からの形成長さが長くなるほど大きくなってもよい。
【００１２】
前記凹部又は凸部の各々の前記基材表面に占める領域の平面形状は、略円形状であってもよい。
【００１３】
前記凹凸集合体の各々が設けられた間隔は、可視光帯域に属する波長よりも大きくともよい。
【００１４】
前記凹凸集合体内の前記凹部又は凸部の各々は、最密充填配置にて設けられてもよい。
【００１５】
前記凹部又は凸部の各々の前記基材表面からの形成長さは、前記凹凸集合体内で段階的に変化してもよい。
【００１６】
前記凹部又は凸部の各々の前記基材表面からの形成長さは、前記凹凸集合体内で不規則に変化してもよい。
【００１７】
前記凹凸集合体の各々は、規則的に配列されてもよい。
【００１８】
前記凹凸集合体の各々は、不規則的に配列されてもよい。
【００１９】
また、上記課題を解決するために、本発明の別の観点によれば、上記の原盤に設けられた複数の前記凹凸集合体の凹凸構造が転写された、転写物が提供される。
【００２０】
また、上記課題を解決するために、本発明の別の観点によれば、基材の表面にレジスト層を形成する工程と、レーザ光源の出力強度及び照射タイミングを任意に制御しながら、前記レーザ光源から前記レジスト層にレーザ光を照射する工程と、前記レーザ光が照射された、又は照射されていない領域の前記レジスト層を除去することで、複数の凹部又は凸部にて構成される凹凸集合体が複数設けられたパターンを前記レジスト層に形成する工程と、前記パターンが形成された前記レジスト層をマスクとしてエッチングを行うことで、前記基材の表面に前記パターンに対応する凹凸構造を形成する工程と、を含む、原盤の製造方法が提供される。
【００２１】
前記基材は、円柱又は円筒形状であり、前記レーザ光源は、前記円柱又は円筒形状の高さ方向を回転軸として前記基材を回転させながら、前記回転軸と平行に相対移動することで、前記基材の上の前記レジスト層に前記レーザ光を照射してもよい。
【００２２】
前記レーザ光源の制御信号は、前記基材の回転の制御信号と同期するように生成されてもよい。
【００２３】
前記レーザ光源は、半導体レーザ光源であってもよい。
【００２４】
上記構成によれば、原盤に凹凸構造を形成するためのレーザ光の出力を任意に制御することができるため、凹部または凸部の配置及び形成長さをより高い精度及びより高い再現性で制御することができる。
【発明の効果】
【００２５】
以上説明したように本発明によれば、より複雑な凹凸構造が形成された原盤、該原盤を用いた転写物、及び該原盤の製造方法を提供することができる。
【図面の簡単な説明】
【００２６】
【図１】本発明の一実施形態に係る原盤の外観を模式的に示す斜視図である。
【図２Ａ】原盤の外周面に形成された凹凸構造の一例を示す断面図である。
【図２Ｂ】原盤の外周面に形成された凹凸構造の一例を示す平面図である。
【図３】開口の大きさが同じ場合、又は開口の大きさが異なる場合における凹部の配置の一例を示す模式図である。
【図４】原盤に設けられた凹凸構造を転写した転写物の一例を模式的に示す断面図及び平面図である。
【図５】原盤に設けられた凹凸構造を転写した転写物の他の例を模式的に示す断面図及び平面図である。
【図６】原盤に設けられた凹凸構造を転写した転写物の他の例を模式的に示す断面図及び平面図である。
【図７】原盤に設けられた凹凸構造を転写した転写物の他の例を模式的に示す断面図及び平面図である。
【図８】原盤に設けられた凹凸構造を転写した転写物の他の例を模式的に示す断面図及び平面図である。
【図９】原盤を用いて転写物を製造する転写装置の構成を示す模式図である。
【図１０】原盤に凹凸構造を形成するための露光装置の具体的な構成を説明するブロック図である。
【図１１Ａ】実施例１に係る原盤の凹凸構造のうち１つの凹部集合体を形成するための制御信号を示すグラフ図である。
【図１１Ｂ】実施例２に係る原盤の凹凸構造を形成するための制御信号を示すグラフ図である。
【図１２Ａ】実施例１に係る原盤の転写物を拡大倍率３０，０００倍にて撮像したＳＥＭ画像図である。
【図１２Ｂ】実施例２に係る原盤の転写物を拡大倍率３０，０００倍にて撮像したＳＥＭ画像図である。
【図１３Ａ】実施例１に係る原盤の転写物を傾き３０°及び拡大倍率１０，０００倍にて撮像したＳＥＭ画像図である。
【図１３Ｂ】実施例２に係る原盤の転写物を傾き３０°及び拡大倍率１０，０００倍にて撮像したＳＥＭ画像図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
＜１．原盤の外観＞
まず、図１を参照して、本発明の一実施形態に係る原盤の外観について説明する。図１は、本実施形態に係る原盤の外観を模式的に示す斜視図である。
【００２９】
図１に示すように、本実施形態に係る原盤１は、例えば、外周面に凹凸構造２０が形成された基材１０にて構成される。
【００３０】
原盤１は、例えば、ロールツーロール（ｒｏｌｌ−ｔｏ−ｒｏｌｌ）方式のインプリント技術に用いられる原盤である。ロールツーロール方式のインプリント技術では、原盤１を回転させながら、原盤１の外周面をシート状基材等に押圧することで、外周面に形成された凹凸構造をシート状の基材等に転写することができる。このようなインプリント技術によれば、原盤１は、外周面に形成された凹凸構造２０を転写した転写物を効率良く製造することができる。
【００３１】
なお、凹凸構造２０が転写された転写物は、様々な用途に用いることができる。例えば、凹凸構造２０が転写された転写物は、導光板、光拡散板、マイクロレンズアレイ、フレネルレンズアレイ、回折格子、又は反射防止フィルムなどの光学部材として用いることができる。
【００３２】
基材１０は、例えば、円筒形状又は円柱形状の部材である。基材１０の形状は、図１で示すように内部に空洞を有する中空の円筒形状であってもよく、内部に空洞を有さない中実の円柱形状であってもよい。基材１０は、例えば、溶融石英ガラス又は合成石英ガラスなどのＳｉＯ２を主成分とするガラス材料で形成されてもよく、ステンレス鋼などの金属で形成されてもよい。また、基材１０の外周面は、ＳｉＯ２等で被覆されていてもよい。
【００３３】
基材１０は、少なくとも外周面がＳｉＯ２を主成分とするガラス材料で形成されことが好ましく、全体がＳｉＯ２を主成分とするガラス材料で形成されることがより好ましい。これは、基材１０の主成分がＳｉＯ２である場合、フッ素化合物を用いたエッチングによって、基材１０を容易に加工することができるためである。例えば、凹凸構造２０に対応したパターンを形成したレジスト層をマスクとして、フッ素化合物を用いたエッチングを行うことによって、基材１０の外周面に凹凸構造２０を容易に形成することができる。
【００３４】
なお、基材１０が円柱形状である場合、基材１０は、例えば、円柱形状の高さ（軸方向の長さ）が１００ｍｍ以上であり、円柱形状の底面又は上面の円の直径（軸方向と直交する径方向の外径）が５０ｍｍ以上３００ｍｍ以下であってもよい。また、基材１０が円筒形状である場合、円筒の外周面の厚みは２ｍｍ以上５０ｍｍ以下であってもよい。ただし、基材１０の大きさは、上記に限定されるものではない。
【００３５】
凹凸構造２０は、基材１０の外周面に形成され、凹部又は凸部が規則的又は不規則的に配列された構造である。具体的には、凹凸構造２０は、複数の凹部にて構成される凹部集合体が複数配列された構造であってもよい。凹部は、開口の大きさ及び間隔の平均が可視光帯域に属する波長以下となるように設けられ、凹部集合体は、可視光帯域に属する波長よりも大きい間隔で互いに離隔されて設けられる。なお、凹部とは、基材１０の外周面に対して略垂直な方向に落ち窪んだ凹構造を表す。
【００３６】
以下では、凹凸構造２０が、複数の凹部にて構成される凹部集合体を複数配列された構造である場合を例示して説明を行う。ただし、本実施形態に係る原盤１において、凹凸構造２０は、複数の凸部にて構成される凸部集合体を複数配列された構造であってもよいことは言うまでもない。
【００３７】
＜２．原盤の構成＞
次に、図２Ａ及び図２Ｂを参照して、本実施形態に係る原盤１の外周面に形成された凹凸構造２０のより具体的な構造について説明する。図２Ａは、原盤１の外周面に形成された凹凸構造２０の一例を示す断面図であり、図２Ｂは、原盤１の外周面に形成された凹凸構造２０の一例を示す平面図である。図２Ａは、原盤１の外周面に垂直な方向で切断した断面図を示し、図２Ｂは、原盤１の外周面に垂直な方向から平面視した平面図を示す。
【００３８】
図２Ａ及び図２Ｂに示すように、凹凸構造２０は、凹部２００を複数集合させた凹部集合体２１０が複数配列されることで構成される。
【００３９】
凹部２００は、基材１０の一主面と略垂直な方向に落ち窪んだ凹構造である。凹部２００の各々の深さは、中心値が異なる少なくとも２以上のグループのいずれかに属するように設けられる。例えば、図２Ａに示すように、凹部２００は、形成深さが最も浅い第１の凹部２２２と、形成深さが最も深い第３の凹部２２６と、形成深さが第１の凹部２２２及び第３の凹部２２６の中間である第２の凹部２２４と、を含んでもよい。第１の凹部２２２、第２の凹部２２４、及び第３の凹部２２６は、形成深さが形成ばらつき以上の差を有するように設けられ、凹部集合体２１０は、異なる形成深さにて設けられた複数種の凹部２００を含むように設けられ得る。すなわち、凹部２００の各々の形成深さは、ランダムな深さではなく、所望の深さとなるように制御され得る。なお、凹部２００は、４種以上の形成深さにて設けられてもよいことは言うまでもない。
【００４０】
ここで、凹部２００の開口の大きさは、凹部２００の形成深さが深くなるほど、より大きくなるように設けられ得る。例えば、第１の凹部２２２、第２の凹部２２４、及び第３の凹部２２６は、第１の凹部２２２が最も開口の大きさが小さく、第３の凹部２２６が最も開口の大きさが大きく、第２の凹部２２４が第１の凹部２２２及び第３の凹部２２６の中間の開口の大きさとなるように形成されてもよい。凹部２００は、後述するように基材１０へのエッチングによって形成されるため、形成深さが深い凹部２００では、基材１０の厚み方向へのエッチングのみならず、基材１０の面内方向へのエッチングも進みやすい。そのため、凹部２００の形成深さ及び開口の大きさは、連動して変動することになる。
【００４１】
なお、異なる形成深さにて形成された複数種の凹部２００（図２Ａでは、第１の凹部２２２、第２の凹部２２４、及び第３の凹部２２６）の各々は、１つの凹部集合体２１０内に少なくとも１種以上設けられていればよい。例えば、１つの凹部集合体２１０は、第１の凹部２２２、第２の凹部２２４、及び第３の凹部２２６の各々をすべて含むように構成されてもよい。又は、１つの凹部集合体２１０は、第１の凹部２２２、第２の凹部２２４、及び第３の凹部２２６のいずれかにて構成されてもよい。凹部集合体２１０内にて、第１の凹部２２２、第２の凹部２２４、及び第３の凹部２２６の各々が設けられる数及び配置は、凹部集合体２１０又は凹凸構造２０が実現する機能に基づいて、適宜制御することが可能である。
【００４２】
例えば、凹部集合体２１０は、凹部集合体２１０内で凹部２００の形成深さが段階的に変化するように構成されてもよい。すなわち、凹部集合体２１０は、所定の方向に沿って凹部２００の形成深さが徐々に変化するように設けられてもよい。具体的には、凹部２００の形成深さは、凹部集合体２１０全体で所定の方向に沿って弧を描くように、又は直線となるように変化してもよい。
【００４３】
または、例えば、凹部集合体２１０は、凹部２００の形成深さが不規則に変化するように構成されてもよい。すなわち、凹部集合体２１０は、凹部２００の形成深さがランダムに変化するように設けられてもよい。具体的には、凹部２００の形成深さは、凹部集合体２１０全体で規則性が見られないように変化してもよい。
【００４４】
凹部集合体２１０は、複数の凹部２００が集合することで構成され、凹部集合体２１０の各々は、可視光帯域に属する波長よりも大きい間隔で互いに離隔されてもよい。例えば、図２Ｂに示すように、凹部集合体２１０は、略円形状の開口を有する複数の凹部２００が最密充填配置されることで構成され、凹部集合体２１０の各々は、凹部２００の各々の間隔よりも広い間隔で互いに離隔されてもよい。
【００４５】
凹部２００の開口形状は、上述したように、略円形状であってもよいが、例えば、楕円形状、又は多角形形状などであってもよい。ただし、凹部２００の開口形状が略円形状又は楕円形状の場合、凹部２００の形成がより容易になる。また、凹部集合体２１０内における凹部２００の配置は、上述したように最密充填配置であってもよいが、四方格子状配置、六方格子状配置、又は千鳥格子状配置などであってもよい。凹部２００の開口形状、及び凹部２００の凹部集合体２１０内における配置は、凹部集合体２１０又は凹凸構造２０が実現する機能に基づいて、適宜制御することが可能である。
【００４６】
ここで、図３を参照して、凹部集合体２１０内における凹部２００の配置について、より具体的に説明する。図３は、開口の大きさが同じ場合、又は開口の大きさが異なる場合における凹部２００の配置の一例を示す模式図である。
【００４７】
図３に示すように、例えば、凹部２００の開口の大きさが略一定である場合（凹部２００Ａの場合）、凹部２００Ａは、最密充填配置となるように、開口の大きさと同じ間隔を置いて設けられてもよい。例えば、凹部２００の開口の大きさが変動する場合（凹部２００Ｂの場合）、凹部２００Ｂは、一定の間隔を置いて設けられてもよい。このような場合、凹部２００Ｂは、最密充填配置にはならないものの、凹部２００Ｂの形成が容易になる。また、凹部２００の開口の大きさが変動する場合（凹部２００Ｃの場合）、凹部２００Ｃは、凹部２００Ｃの各々の開口の大きさに応じて制御された間隔を置いて設けられてもよい。このような場合、凹部２００Ｃは、凹部２００の開口の大きさが変動する場合でも、最密充填配置を実現することができる。本実施形態によれば、凹部２００の各々の配置及び開口の大きさを高い精度で制御することができるため、凹部２００の開口の大きさが変動する場合（凹部２００Ｃの場合）でも、凹部２００を最密充填配置にて形成することが可能である。
【００４８】
凹部２００の各々は、例えば、開口の大きさの平均が可視光帯域に属する波長以下となるように設けられてもよい。また、凹部集合体２１０内での凹部２００の各々の間隔は、同様に、可視光帯域に属する波長以下となるように設けられてもよい。具体的には、凹部２００の開口の大きさ及び間隔は、１μｍ未満であってもよく、好ましくは１００ｎｍ以上３５０ｎｍ以下であってもよい。凹部２００の開口の大きさ及び間隔が上記の範囲である場合、凹部集合体２１０及び凹凸構造２０は、可視光帯域に属する入射光の反射を抑制する、いわゆるモスアイ構造として機能することができる。
【００４９】
ただし、凹部２００の開口の大きさ及び間隔が１００ｎｍ未満である場合、凹部２００の形成が困難になる。また、凹部２００の開口の大きさ及び間隔が３５０ｎｍを超える場合、可視光の回折が生じ、モスアイ構造としての機能が低下する可能性がある。
【００５０】
凹部集合体２１０の各々は、規則的に配列されてもよい。例えば、図２Ｂに示すように、凹部集合体２１０の各々は、凹部２００の構成及び配置が同一の凹部集合体２１０が所定の間隔を置いて規則的に配列されてもよい。または、凹部集合体２１０の各々は、不規則的に配列されてもよい。例えば、凹部集合体２１０の各々は、互いにランダムな大きさの間隔を置いて不規則的に配列されてもよい。凹部集合体２１０の各々の配列は、凹凸構造２０が実現する機能に基づいて、適宜制御することが可能である。
【００５１】
以上に説明したように、凹凸構造２０の凹部２００は、複数種の異なる形成深さにて形成される。すなわち、凹部２００の形成深さは、中心値が異なる複数のグループのいずれかに属するように設けられる。したがって、凹凸構造２０では、凹部２００の各々の形成深さは、凹部２００ごとに所定の形成深さになるように、高い精度で制御されることになる。また、凹凸構造２０は、凹部２００が所定の間隔で連続的に設けられるのではなく、複数の凹部２００から構成される凹部集合体２１０が互いに離隔されるように設けられる。したがって、凹凸構造２０では、凹部２００は、凹部集合体２１０内と、凹部集合体２１０間とで異なる間隔で設けられるように、形成位置が高い精度で制御されることになる。
【００５２】
したがって、本実施形態によれば、凹部２００の配置及び形成深さがより高い精度及びより高い再現性にて制御され得る。よって、本実施形態に係る原盤１は、より複雑な凹凸構造２０を備えることができる。
【００５３】
＜３．原盤の具体例＞
次に、図４〜図８を参照して、本実施形態に係る原盤１の外周面に形成される凹凸構造２０の具体例について説明する。図４〜図８は、原盤１に設けられた凹凸構造２０を転写した転写物の一例を模式的に示す断面図及び平面図である。そのため、図４〜図８で示す凹凸構造２０は、原盤１に形成された凹凸構造２０とは、凹凸形状が反転している。なお、図４〜図８の平面図では、ドットハッチングが濃い円ほど、より高さが高い凸部に対応することを表す。
【００５４】
（第１の具体例）
図４に示すように、凹凸構造２１は、凸部２０１（すなわち、原盤１上では凹部）を四方格子状に配列した凸部集合体２１１（すなわち、原盤１上では凹部集合体）が所定の間隔を置いて設けられた構造であってもよい。凹凸構造２１では、凸部集合体２１１内の凸部２０１の高さが第１の方向に段階的に増加又は減少するように設けられ、第１の方向と直交する第２の方向では、凸部２０１の高さが略同一の高さとなるように設けられる。したがって、図４に示す凹凸構造２１では、凸部集合体２１１は、第１の方向において全体として三角波様（のこぎり歯様）の形状を示す構造として形成され得る。凹凸構造２１を備える転写物は、例えば、モスアイ構造による反射防止能を備えた回折素子として用いることが可能である。
【００５５】
（第２の具体例）
図５に示すように、凹凸構造２２は、凸部２０２（すなわち、原盤１上では凹部）を四方格子状に配列した凸部集合体２１２（すなわち、原盤１上では凹部集合体）が所定の間隔を置いて設けられた構造であってもよい。凹凸構造２２では、凸部集合体２１２内の凸部２０２の高さが凸部集合体２１２の中央に向かうほど段階的に増加するように設けられる。したがって、図５に示す凹凸構造２２では、凸部集合体２１２は、全体として凸レンズ様の形状を示す構造として形成され得る。凹凸構造２２を備える転写物は、例えば、モスアイ構造による反射防止能を備えたマイクロレンズアレイとして用いることが可能である。
【００５６】
（第３の具体例）
図６に示すように、凹凸構造２３は、凸部２０３（すなわち、原盤１上では凹部）を四方格子状に配列した凸部集合体２１３（すなわち、原盤１上では凹部集合体）が所定の間隔を置いて設けられた構造であってもよい。凹凸構造２３では、凸部集合体２１３内の凸部２０３の高さが凸部集合体２１３の中央に向かうほど段階的に増加するように設けられ、かつ凸部２０３の高さが所定の範囲に収まるように同心円状に高さが減少する形状にて設けられる。したがって、図６に示す凹凸構造２３では、凸部集合体２１３は、全体としてフレネルレンズ様の形状を示す構造として形成され得る。凹凸構造２３を備える転写物は、例えば、モスアイ構造による反射防止能を備えたフレネルレンズアレイとして用いることが可能である。
【００５７】
（第４の具体例）
図７に示すように、凹凸構造２４は、凸部２０４（すなわち、原盤１上では凹部）を四方格子状に配列した凸部集合体２１４（すなわち、原盤１上では凹部集合体）が所定の間隔を置いて設けられた構造であってもよい。凹凸構造２４では、凸部集合体２１４内の凸部２０４の高さが不規則に（ランダムに）なるように設けられる。ただし、凸部２０４の高さは、中心値が異なる複数のグループのいずれかに属するように設けられるため、厳密には、異なる高さを有する凸部２０４の配置が凸部集合体２１４内で不規則に（ランダムに）なるように設けられる。したがって、図７に示す凹凸構造２４では、凸部集合体２１４は、全体として凸部２０４の高さが不規則なモスアイ構造として形成され得る。凹凸構造２４を備える転写物は、例えば、干渉光及び回折光が少ない反射防止フィルム又は光拡散板として用いることが可能である。
【００５８】
（第５の具体例）
図８に示すように、凹凸構造２５は、凸部２０５（すなわち、原盤１上では凹部）を不規則的な（ランダムな）配置にて配列した凸部集合体２１５（すなわち、原盤１上では凹部集合体）が所定の間隔を置いて設けられた構造であってもよい。凹凸構造２５では、図８に示した凹凸構造２４と同様に、異なる高さを有する凸部２０５の配置が凸部集合体２１５内で不規則に（ランダムに）なるように設けられる。したがって、図８に示す凹凸構造２５では、凸部集合体２１５は、全体として凸部２０５の高さ及び配置が不規則なモスアイ構造として形成され得る。凹凸構造２５を備える転写物は、例えば、干渉光及び回折光がより少ない反射防止フィルム又は光拡散板として用いることが可能である。なお、図８に示す凹凸構造２５は、図７に示す凹凸構造２４よりも規則性が低いため、意図しない回折光又は干渉光の発生をより抑制することができる。
【００５９】
＜４．原盤の使用例＞
続いて、図９を参照して、本実施形態に係る原盤１の使用例を説明する。本実施形態に係る原盤１を用いることによって、原盤１の凹凸構造２０を転写した転写物を製造することができる。図９は、本実施形態に係る原盤１を用いて転写物を製造する転写装置５の構成を示す模式図である。
【００６０】
図９に示すように、転写装置５は、原盤１と、基材供給ロール５１と、巻取ロール５２と、ガイドロール５３、５４と、ニップロール５５と、剥離ロール５６と、塗布装置５７と、光源５８とを備える。すなわち、図９に示す転写装置５は、ロールツーロール方式のインプリント装置である。
【００６１】
基材供給ロール５１は、例えば、シート状基材６１がロール状に巻かれたロールであり、巻取ロール５２は、凹凸構造２０が転写された樹脂層６２を積層した転写物を巻き取るロールである。また、ガイドロール５３、５４は、転写前後で、シート状基材６１を搬送するロールである。ニップロール５５は、樹脂層６２が積層されたシート状基材６１を原盤１に押圧するロールであり、剥離ロール５６は、凹凸構造２０を樹脂層６２に転写した後、樹脂層６２が積層されたシート状基材６１を原盤１から剥離するロールである。
【００６２】
塗布装置５７は、コーターなどの塗布手段を備え、光硬化樹脂組成物をシート状基材６１に塗布し、樹脂層６２を形成する。塗布装置５７は、例えば、グラビアコーター、ワイヤーバーコーター、又はダイコーターなどであってもよい。また、光源５８は、光硬化樹脂組成物を硬化可能な波長の光を発する光源であり、例えば、紫外線ランプなどであってもよい。
【００６３】
なお、光硬化性樹脂組成物は、所定の波長の光が照射されることによって硬化する樹脂である。具体的には、光硬化性樹脂組成物は、アクリルアクリレート樹脂、エポキシアクリレート樹脂などの紫外線硬化樹脂であってもよい。また、光硬化性樹脂組成物は、必要に応じて、重合開始剤、フィラー、機能性添加剤、溶剤、無機材料、顔料、帯電抑制剤、又は増感色素などを含んでもよい。
【００６４】
なお、樹脂層６２は、熱硬化性樹脂組成物で形成されていてもよい。このような場合、転写装置５には、光源５８に替えてヒータが備えられ、ヒータによって樹脂層６２を加熱することで樹脂層６２を硬化させ、凹凸構造２０を転写する。熱硬化性樹脂組成物は、例えば、フェノール樹脂、エポキシ樹脂、メラミン樹脂、又は尿素樹脂等であってもよい。
【００６５】
転写装置５では、まず、基材供給ロール５１からガイドロール５３を介して、シート状基材６１が連続的に送出される。送出されたシート状基材６１に対して、塗布装置５７により光硬化樹脂組成物が塗布され、シート状基材６１に樹脂層６２が積層される。また、樹脂層６２が積層されたシート状基材６１は、ニップロール５５によって原盤１に押圧される。これにより、原盤１の外周面に形成された凹凸構造２０が樹脂層６２に転写される。凹凸構造２０が転写された樹脂層６２は、光源５８からの光の照射により硬化される。これにより、凹凸構造２０の反転構造が樹脂層６２に形成される。凹凸構造２０が転写されたシート状基材６１は、剥離ロール５６により原盤１から剥離され、ガイドロール５４を介して巻取ロール５２に送出され、巻き取られる。
【００６６】
このような転写装置５によれば、原盤１の外周面に形成された凹凸構造２０をシート状基材６１に効率的に転写することが可能である。したがって、本実施形態に係る原盤１によれば、凹凸構造２０が転写された転写物を効率良く製造することが可能である。
【００６７】
＜５．原盤の製造方法＞
（製造方法の全体工程）
続いて、本実施形態に係る原盤１の製造方法について説明する。
【００６８】
本実施形態に係る原盤１は、レーザ光による熱リソグラフィを用いて、基材１０の外周面に凹凸構造２０に対応するレジストパターンを形成した後、該レジストパターンをマスクとして基材１０をエッチングすることで製造され得る。
【００６９】
本実施形態では、熱リソグラフィに用いるレーザ光の強度及び照射タイミングを任意に制御することで、より複雑な凹凸構造２０を形成することができる。これは、レーザ光は、制御信号を変調させることで、強度及び照射位置を高い精度にて制御することが可能なためである。したがって、本実施形態に係る原盤１の製造方法によれば、凹凸構造２０の凹部集合体２１０及び凹部２００の配列を高い精度及び再現性にて制御することが可能である。
【００７０】
具体的には、本実施形態に係る原盤１の製造方法は、基材１０の外周面にレジスト層を成膜する成膜工程と、レジスト層にレーザ光を照射することで潜像を形成する露光工程と、潜像が形成されたレジスト層を現像し、レジスト層にパターンを形成する現像工程と、パターンが形成されたレジスト層をマスクとして基材１０をエッチングし、基材１０の外周面に凹凸構造２０を形成するエッチング工程と、を含む。
【００７１】
成膜工程では、基材１０の外周面にレジスト層を成膜する。レジスト層は、レーザ光によって潜像を形成することが可能な無機系材料又は有機系材料にて形成される。無機系材料としては、例えば、タングステン（Ｗ）又はモリブデン（Ｍｏ）などの１種又は２種以上の遷移金属を含む金属酸化物を用いることができる。このような無機系材料は、例えば、スパッタ法などを用いることでレジスト層として成膜することができる。一方、有機系材料としては、例えば、ノボラック系レジスト又は化学増幅型レジストなどを用いることができる。このような有機系材料は、例えば、スピンコート法などを用いることでレジスト層として成膜することができる。
【００７２】
露光工程では、基材１０の外周面に形成されたレジスト層にレーザ光を照射することで、レジスト層に凹凸構造２０に対応する潜像を形成する。レジスト層に照射されるレーザ光の波長は、特に限定されないが、４００ｎｍ〜５００ｎｍの青色光帯域に属する波長であってもよい。露光工程では、基材１０の外周面に照射されるレーザ光の制御信号を変調させることで、レーザ光の出力強度及び照射位置を制御し、レジスト層に形成される凹部２００の開口の大きさ及び位置を制御する。そのため、レーザ光を出射する光源は、例えば、出力の変調が容易な、半導体レーザ光源であってもよい。なお、露光工程で用いられる露光装置については、後述する。
【００７３】
現像工程では、レーザ光の照射によって潜像が形成されたレジスト層を現像することで、レジスト層に潜像に対応するパターンを形成する。例えば、レジスト層が上述した無機系材料である場合、レジスト層の現像には、ＴＭＡＨ（ＴｅｔｒａＭｅｔｈｙｌＡｍｍｏｎｉｕｍ  Ｈｙｄｒｏｘｉｄｅ：水酸化テトラメチルアンモニウム）水溶液などのアルカリ系溶液を用いることができる。また、レジスト層が上述した有機系材料である場合、レジスト層の現像には、エステル又はアルコールなどの各種有機溶剤を用いることができる。
【００７４】
エッチング工程では、パターンが形成されたレジスト層をマスクとして基材１０をエッチングすることで、基材１０の外周面に潜像に対応する凹凸構造２０を形成する。基材１０のエッチングは、ドライエッチング又はウェットエッチングのいずれで行ってもよい。基材１０がＳｉＯ２を主成分とするガラス材料（例えば、石英ガラスなど）である場合、基材１０のエッチングは、フッ化炭素ガスを用いたドライエッチング又はフッ化水素酸等を用いたウェットエッチングによって行うことができる。
【００７５】
（露光装置）
次に、図１０を参照して、上述した露光工程において、円筒形状又は円柱形状の基材１０にレーザ光を照射する露光装置３の具体的な構成について説明する。図１０は、露光装置３の具体的な構成を説明するブロック図である。
【００７６】
図１０に示すように、露光装置３は、レーザ光源３１と、第１ミラー３３と、フォトダイオード（ＰｈｏｔｏＤｉｏｄｅ：ＰＤ）３４と、集光レンズ３６と、電気光学偏向素子（Ｅｌｅｃｔｒｏ−Ｏｐｔｉｃ  Ｄｅｆｌｅｃｔｏｒ：ＥＯＤ）３９と、コリメータレンズ３８と、第２ミラー４１と、ビームエキスパンダ（Ｂｅａｍ  ｅｘｐａｎｄｅｒ：ＢＥＸ）４３と、対物レンズ４４と、を備える。
【００７７】
レーザ光源３１は、制御機構４７が生成した露光信号にて制御され、レーザ光源３１から出射されたレーザ光３０は、ターンテーブル４６上に載置された基材１０に照射される。また、基材１０が載置されたターンテーブル４６は、露光信号と同期する回転制御信号にて制御されるスピンドルモータ４５によって回転する。
【００７８】
レーザ光源３１は、上述したように、基材１０の外周面に成膜されたレジスト層を露光するレーザ光３０を出射する光源である。レーザ光源３１は、例えば、４００ｎｍ〜５００ｎｍの青色光帯域に属する波長のレーザ光を発する半導体レーザ光源であってもよい。レーザ光源３１から出射されたレーザ光３０は、平行ビームのまま直進し、第１ミラー３３で反射される。
【００７９】
第１ミラー３３にて反射されたレーザ光３０は、集光レンズ３６によって電気光学偏向素子３９に集光された後、コリメータレンズ３８によって、再度、平行ビーム化される。平行ビーム化されたレーザ光３０は、第２ミラー４１によって反射され、ビームエキスパンダ４３に水平に導かれる。
【００８０】
第１ミラー３３は、偏光ビームスプリッタで構成され、偏光成分の一方を反射させ、偏光成分の他方を透過させる機能を有する。第１ミラー３３を透過した偏光成分は、フォトダイオード３４によって光電変換され、光電変換された受光信号は、レーザ光源３１に入力される。これにより、レーザ光源３１は、入力された受光信号によるフィードバックに基づいてレーザ光３０の出力を調整等することができる。
【００８１】
電気光学偏向素子３９は、レーザ光３０の照射位置をナノメートル程度の距離で制御することが可能な素子である。露光装置３は、電気光学偏向素子３９により、基材１０に照射されるレーザ光３０の照射位置を微調整することが可能である。
【００８２】
ビームエキスパンダ４３は、第２ミラー４１によって導かれたレーザ光３０を所望のビーム形状に整形し、対物レンズ４４を介して、レーザ光３０を基材１０の外周面に形成されたレジスト層に照射する。
【００８３】
ターンテーブル４６は、基材１０を支持し、スピンドルモータ４５によって回転されることで、基材１０を回転させる。ターンテーブル４６は、基材１０を回転させながら、基材１０の軸方向（すなわち、矢印Ｒ方向）にレーザ光３０の照射位置を移動させることで、基材１０の外周面にスパイラル状に露光を行うことができる。なお、レーザ光３０の照射位置の移動は、レーザ光源３１を含むレーザヘッドをスライダに沿って移動させることで行ってもよい。
【００８４】
制御機構４７は、フォーマッタ４８と、ドライバ４９とを備え、レーザ光源３１を制御することで、レーザ光３０の出力強度及び照射位置を制御する。
【００８５】
ドライバ４９は、フォーマッタ４８が生成した露光信号に基づいてレーザ光源３１の出射を制御する。具体的には、ドライバ４９は、露光信号の波形振幅の大きさが大きくなるほど、レーザ光３０の出力強度が大きくなるようにレーザ光源３１を制御してもよい。また、ドライバ４９は、露光信号の波形形状に基づいてレーザ光３０の出射タイミングを制御することで、レーザ光３０の照射位置を制御してもよい。レーザ光３０の出力強度が大きくなるほど、レジスト層に形成される潜像の大きさ及び深さを大きくすることができるため、最終的に基材１０に形成される凹部の開口の大きさ及び形成深さを大きくすることができる。
【００８６】
スピンドルモータ４５は、回転制御信号に基づいて、ターンテーブル４６を回転させる。スピンドルモータ４５は、回転制御信号によって所定の数のパルスが入力された場合にターンテーブル４６が１回転するように回転を制御してもよい。なお、回転制御信号は、露光信号と共通の基準クロックから生成されることで、露光信号と同期するように生成され得る。
【００８７】
以上のような露光装置３により、基材１０へのレーザ光３０の照射を行うことができる。このような露光装置３によれば、基材１０の外周面に任意のパターンの潜像を高い精度及び高い再現性で形成することが可能である。
【００８８】
以上にて、本実施形態に係る原盤１及び原盤１の製造方法について詳細に説明を行った。本実施形態によれば、凹部２００の配置及び形成深さをより高い精度及びより高い再現性で制御することができるため、より複雑な凹凸構造２０を備える原盤１を提供することができる。
【実施例】
【００８９】
以下では、実施例及び比較例を参照しながら、本実施形態に係る原盤について、さらに具体的に説明する。なお、以下に示す実施例は、本実施形態に係る原盤及びその製造方法の実施可能性及び効果を示すための一条件例であり、本発明に係る原盤及びその製造方法が以下の実施例に限定されるものではない。
【００９０】
（実施例１）
以下の工程により、実施例１に係る原盤を作製した。まず、円筒形状の石英ガラスにて構成された基材（軸方向長さ１００ｍｍ、外周面の肉厚４．５ｍｍ）の外周面に、スパッタ法でタングステン酸化物を５５ｎｍにて成膜し、レジスト層を形成した。次に、図１０に示す露光装置を用いて、波長４０５ｎｍの半導体レーザ光源からのレーザ光によって熱リソグラフィを行い、レジスト層に潜像を形成した。なお、基材の回転数は、９００ｒｐｍとした。
【００９１】
ここで、レーザ光の出力を制御する制御信号を任意に変調させることにより、レジスト層に任意の潜像を形成した。実施例１では、レーザ光の出力を制御する制御信号として図１１Ａに示すような制御信号を用いた。具体的には、図１１Ａに示すように、周期が一定であり、振幅が徐々に大きくなるような制御信号を用いてレーザ光の出力を制御した。なお、図１１Ａで示す制御信号は、実施例１に係る原盤の凹凸構造のうち１つの凹部集合体を形成するための制御信号を示している。
【００９２】
続いて、テトラメチルアンモニウムヒドロキシド（ＴＭＡＨ）２．３８質量％水溶液（東京応化工業製）を用いて、露光後の基材を２７℃、９００秒で現像処理することにより、潜像部分のレジスト層を溶解し、レジスト層に凹部の形成深さ及び開口の大きさが異なる凹凸構造を形成した。次に、現像後のレジスト層をマスクにして、ＣＨＦ３ガス（３０ｓｃｃｍ）を用いて、ガス圧０．５Ｐａ、投入電力１５０Ｗにて反応性イオンエッチング（Ｒｅａｃｔｉｖｅ  Ｉｏｎ  Ｅｔｃｈｉｎｇ：ＲＩＥ）を行い、基材を３０分間エッチングした。その後、残存したレジスト層を除去した。
【００９３】
以上の工程により、外周面に凹凸構造が形成された原盤を製造した。さらに、製造した原盤を用いて転写物を製造した。具体的には、図９で示した転写装置を用いて、原盤の外周面に形成された凹凸構造を紫外線硬化樹脂に転写した。なお、転写物のシート状基材には、ポリエチレンテレフタレート（ＰｏｌｙＥｔｈｙｌｅｎｅ  Ｔｅｒｅｐｈｔｈａｌａｔｅ：ＰＥＴ）フィルムを用い、紫外線硬化樹脂は、メタルハライドランプにより、１０００ｍＪ／ｃｍ２の紫外線を１分間照射することで硬化させた。
【００９４】
（実施例２）
レーザ光の出力を制御する制御信号として図１１Ｂに示す制御信号を用いた以外は、実施例１と同様の方法を用いて、実施例２に係る原盤を製造した。具体的には、図１１Ｂに示すように、周期が一定であり、振幅の大きさが不規則に（ランダムに）変化するような制御信号を用いてレーザ光の出力を制御した。なお、図１１Ｂで示す制御信号は、実施例２に係る原盤の凹凸構造を形成するための制御信号を示している。さらに、製造した原盤を用いて、実施例１と同様の方法にて、転写物を製造した。
【００９５】
（評価結果）
実施例１及び実施例２に係る原盤を用いて製造した転写物を走査型電子顕微鏡（Ｓｃａｎｎｉｎｇ  Ｅｌｅｃｔｏｒｏｎ  Ｍｉｃｒｏｓｃｏｐｅ：ＳＥＭ）にて観察した画像を図１２Ａ〜図１３Ｂに示す。図１２Ａは、実施例１に係る原盤の転写物を拡大倍率３０，０００倍にて撮像したＳＥＭ画像であり、図１２Ｂは、実施例２に係る原盤の転写物を拡大倍率３０，０００倍にて撮像したＳＥＭ画像である。図１３Ａは、実施例１に係る原盤の転写物を傾き３０°及び拡大倍率１０，０００倍にて撮像したＳＥＭ画像であり、図１３Ｂは、実施例２に係る原盤の転写物を傾き３０°及び拡大倍率１０，０００倍にて撮像したＳＥＭ画像である。なお、図１２Ａ〜図１３Ｂでは、Ｘ方向が基材の周方向に相当し、Ｙ方向が基材の軸方向に相当する。
【００９６】
図１２Ａ及び図１３Ａを参照すると、実施例１に係る転写物では、基材の周方向に段階的に高さ及び幅が大きくなる凸部（すなわち、原盤上では凹部）が形成されていることがわかる。また、実施例１に係る原盤及び転写物では、高さ及び幅が単調増加する複数の凸部の集合にて凸部集合体（すなわち、原盤上では凹部集合体）が形成されていることがわかる。
【００９７】
図１２Ｂ及び図１３Ｂを参照すると、実施例２に係る転写物では、基材の周方向及び軸方向に等間隔で高さが異なる凸部（すなわち、原盤上では凹部）が形成されていることがわかる。また、実施例２に係る原盤及び転写物では、凸部の高さの変化が不規則（ランダム）であることがわかる。
【００９８】
なお、図示しないが、実施例１及び実施例２に係る転写物の凸部の高さ（原盤上では凹部の深さ）を原子間力顕微鏡（Ａｔｏｍｉｃ  Ｆｏｒｃｅ  Ｍｉｃｒｏｓｃｏｐｅ：ＡＦＭ）にて観察したところ、実施例１及び実施例２に係る転写物の凸部の各々の高さは、中心値が異なる少なくとも２以上のグループに分けられることがわかった。
【００９９】
以上説明したように、本実施形態によれば、凹部の配置及び形成深さをより高い精度及びより高い再現性で制御することができるため、より複雑な凹凸構造を備える原盤、及び該原盤を用いて形成された転写物を提供することができる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【０１０１】
例えば、上記実施形態では、凹凸構造２０は、凹部２００が集合した凹部集合体２１０から構成されるとしたが、本発明はかかる例に限定されない。例えば、凹凸構造２０は、凹部集合体２１０に替えて、基材１０の外周面に対して略垂直な方向に突出した凸部が集合した凸部集合体から構成されてもよい。
【符号の説明】
【０１０２】
１        原盤
３        露光装置
５        転写装置
１０      基材
２０、２１、２２、２３、２４、２５    凹凸構造
２００    凹部
２０１、２０２、２０３、２０４、２０５    凸部
２１０    凹部集合体
２１１、２１２、２１３、２１４、２１５    凸部集合体
２２２    第１の凹部
２２４    第２の凹部
２２６    第３の凹部
【図１】
2019111786.tif 000003
【図２Ａ】
2019111786.tif 000004
【図２Ｂ】
2019111786.tif 000005
【図３】
2019111786.tif 000006
【図４】
2019111786.tif 000007
【図５】
2019111786.tif 000008
【図６】
2019111786.tif 000009
【図７】
2019111786.tif 000010
【図８】
2019111786.tif 000011
【図９】
2019111786.tif 000012
【図１０】
2019111786.tif 000013
【図１１Ａ】
2019111786.tif 000014
【図１１Ｂ】
2019111786.tif 000015
【図１２Ａ】
2019111786.tif 000016
【図１２Ｂ】
2019111786.tif 000017
【図１３Ａ】
2019111786.tif 000018
【図１３Ｂ】
2019111786.tif 000019